(57)【要約】【課題】電子レンジで加熱調理して庫内から取り出す際に、熱くない状態で持つことで安心して取り出すことができるウェッブコーナー型紙容器を提供すること。【解決手段】前側板２と後側板にはその上辺に折り線を介してフラップ６，７がそれぞれ連設されており、左側板４と右側板にはその上辺に折り線を介して左半蓋板８と右半蓋板９がそれぞれ連設され、それらの左半蓋板８と右半蓋板９には二つ折りするための折り線ｉが形成されている。使用時には、フラップ６，７を内側に折り曲げた状態で、左半蓋板８と右半蓋板９をそれぞれ内向きに二つ折りしてその先端をフラップ６，７の側部に係止させることにより、フラップ６，７の浮き上がりを止めるとともに、二つ折り状態とした左半蓋板８と右半蓋板９を持ち手とする。【選択図】図４
2015016905.tif 000002
【特許請求の範囲】
【請求項１】
矩形状の底板における前後左右の辺に折り線を介して前側板、後側板、左側板、右側板がそれぞれ連設されており、それらの各側板には両側辺に折り線を介して三角形状の折込み片がそれぞれ連設され、隣接する折込み片どうしが底板の隅から外方に向けて延びる放射状の折り線を介して連結されてウェッブコーナー部を形成しており、前側板と後側板にはその上辺に折り線を介してフラップがそれぞれ連設されており、左側板と右側板にはその上辺に折り線を介して左半蓋板と右半蓋板がそれぞれ連設され、それらの左半蓋板と右半蓋板には二つ折りするための折り線が形成されており、各ウェッブコーナー部を外側に折り込んだ状態で側板の外側に貼り合わせることで箱形状としてから、前側板と後側板の上辺にあるフラップを内側に折り曲げ、その上から左半蓋板と右半蓋板を被せて蓋をする構造になっており、使用時には、フラップを内側に折り曲げた状態で、左半蓋板と右半蓋板をそれぞれ内向きに二つ折りしてその先端をフラップの側部に係止させることにより、フラップの浮き上がりを止めるとともに、二つ折り状態とした左半蓋板と右半蓋板を持ち手とすることを特徴とするウェッブコーナー型紙容器。
【請求項２】
前側板と後側板の上辺にあるフラップの先端中央部にそれぞれ切込みが形成されるとともに左右両端に切欠きが形成されており、左半蓋板と右半蓋板の先端に折り線を介して係止用の差込み片がそれぞれ連設されており、左半蓋板と右半蓋板をそれらの差込み片どうしを対向させるように内側に折り曲げて、対向させた差込み片をフラップの切込みに差し込むことで、フラップの切込みに差込み片を係止させて蓋をし、左半蓋板と右半蓋板をそれぞれ内向きに二つ折りしてその先端にある差込み片をフラップの左右両端の隙間に差し込むことでフラップの側部に係止させるようにしたことを特徴とする請求項１に記載のウェッブコーナー型紙容器。
【請求項３】
左半蓋板と右半蓋板の先端に相互にかみ合う形状のかみ合い部が形成されており、左半蓋板と右半蓋板を内側に折り曲げ、それらの先端にあるかみ合い部どうしを係合させることで蓋をし、左半蓋板と右半蓋板をそれぞれ内向きに二つ折りしてその先端をフラップの左右両端の隙間に差し込むことでフラップの側部に係止させるようにしたことを特徴とする請求項１に記載のウェッブコーナー型紙容器。
【発明の詳細な説明】
【技術分野】
【０００１】
本発明は、板紙からなる紙容器の技術分野に属し、詳しくは、四隅を外側に折り込んで側板の外面に貼り合わせて固定した構造を有するウェッブコーナー型紙容器に関するものである。
【背景技術】
【０００２】
ウェッブコーナー型紙容器と呼ばれる包装容器は、従来から世間一般で広く使用されており、この紙容器の本体は、四隅を外側に折り込んで側板の外面に貼り合わせた構造になっているため、液漏れを防止する効果があることから、特に調味料や油が付着した食品や煮汁の出る食品などを入れるのに適している。
【０００３】
このウェッブコーナー型紙容器を大きく分けると、蓋なしで天面が解放したタイプのものと、本体と蓋が一体になっていて容器を閉じることができるタイプの２通りがあり、後者の蓋付きのウェッブコーナー型紙容器は、電子レンジ調理用の食品を入れる紙容器として好適に利用されている。
【０００４】
そして、現在、この用途で市場に出回っている蓋付きのウェッブコーナー型紙容器としては、特許文献１に記載されている紙容器のように、１枚の大きな蓋板を差し込んで閉じるものや、特許文献２，３に記載されている紙容器のように、２枚の蓋板をクロスさせたり切込みに差し込んで閉じるものが主流である。
【先行技術文献】
【特許文献】
【０００５】
【特許文献１】特開２００７−１４５３９２号公報
【特許文献２】特開２００８−６８８８５号公報
【特許文献３】実用新案登録第３１７６８５２号公報
【発明の概要】
【発明が解決しようとする課題】
【０００６】
上記したような蓋付きのウェッブコーナー型紙容器は、食材を入れて電子レンジ内で加熱調理する場合、加熱後に電子レンジの庫内から取り出す際に、側板あるいはウェッブコーナー部のいずれかを持つことになるが、折り返し部分のあるウェッブコーナー部を持つと容器が持ちにくく、手がはみ出た場合に熱が伝わって熱くて持ちにくいため、安心して取り出すことができないという問題がある。
【０００７】
本発明は、このような事情に鑑みてなされたものであり、その目的とするところは、電子レンジで加熱調理して庫内から取り出す際に、熱くない状態で持つことで安心して取り出すことができるウェッブコーナー型紙容器を提供することにある。
【課題を解決するための手段】
【０００８】
上記の目的を達成するため、本発明のウェッブコーナー型紙容器は、矩形状の底板における前後左右の辺に折り線を介して前側板、後側板、左側板、右側板がそれぞれ連設されており、それらの各側板には両側辺に折り線を介して三角形状の折込み片がそれぞれ連設され、隣接する折込み片どうしが底板の隅から外方に向けて延びる放射状の折り線を介して連結されてウェッブコーナー部を形成しており、前側板と後側板にはその上辺に折り線を介してフラップがそれぞれ連設されており、左側板と右側板にはその上辺に折り線を介して左半蓋板と右半蓋板がそれぞれ連設され、それらの左半蓋板と右半蓋板には二つ折りするための折り線が形成されており、各ウェッブコーナー部を外側に折り込んだ状態で側板の外側に貼り合わせることで箱形状としてから、前側板と後側板の上辺にあるフラップを内側に折り曲げ、その上から左半蓋板と右半蓋板を被せて蓋をする構造になっており、使用時には、フラップを内側に折り曲げた状態で、左半蓋板と右半蓋板をそれぞれ内向きに二つ折りしてその先端をフラップの側部に係止させることにより、フラップの浮き上がりを止めるとともに、二つ折り状態とした左半蓋板と右半蓋板を持ち手とすることを特徴としている。
【０００９】
そして、上記構成のウェッブコーナー型紙容器は、前側板と後側板の上辺にあるフラップの先端中央部に切込みが形成されるとともに左右両端に切欠きが形成されており、左半蓋板と右半蓋板の先端に折り線を介して係止用の差込み片がそれぞれ連設されており、左半蓋板と右半蓋板をそれらの差込み片どうしを対向させるように内側に折り曲げて、対向させた差込み片をフラップの切込みに差し込むことで、フラップの切込みに差込み片を係止させて蓋をし、左半蓋板と右半蓋板をそれぞれ内向きに二つ折りしてその先端にある差込み片をフラップの左右両端の隙間に差し込むことでフラップの側部に係止させるように構成することができる。
【００１０】
また、上記構成のウェッブコーナー型紙容器は、左半蓋板と右半蓋板の先端に相互にかみ合う形状のかみ合い部が形成されており、左半蓋板と右半蓋板を内側に折り曲げ、それらの先端にあるかみ合い部どうしを係合させることで蓋をし、左半蓋板と右半蓋板をそれぞれ内向きに二つ折りしてその先端をフラップの左右両端の隙間に差し込むことでフラップの側部に係止させるように構成することができる。
【発明の効果】
【００１１】
本発明のウェッブコーナー型紙容器は、加熱調理に際して組み立てると、二つ折り状態とした左半蓋板と右半蓋板が持ち手となり、この容器内の熱が直接伝わらない部分を持って電子レンジへの出し入れを行えることから、加熱調理した後の容器を安心して庫内から取り出すことができ、さらに、二つ折り状態とした左半蓋板と右半蓋板がフラップの浮き上がりを止めるため、加熱調理に求められる蒸らし効果を損なうこともない。
【図面の簡単な説明】
【００１２】
【図１】本発明に係るウェッブコーナー型紙容器の一例を示す斜視図である。
【図２】図１のウェッブコーナー型紙容器を組み立てるブランクの展開図である。
【図３】図２のブランクからウェッブコーナー型紙容器を組み立てる途中の状態を示す説明図である。
【図４】図２のブランクを組み立てたウェッブコーナー型紙容器を使用時の状態で示す説明図である。
【図５】本発明に係るウェッブコーナー型紙容器の変形例を示す斜視図である。
【図６】図５のウェッブコーナー型紙容器を組み立てるブランクの展開図である。
【図７】図５のブランクからウェッブコーナー型紙容器を組み立てる途中の状態を示す説明図である。
【図８】図５のブランクを組み立てたウェッブコーナー型紙容器を使用時の状態で示す説明図である。
【発明を実施するための形態】
【００１３】
次に、本発明の実施形態について図面を参照しながら詳細に説明する。
【００１４】
図１は本発明に係るウェッブコーナー型紙容器の一例を示す斜視図であり、このウェッブコーナー型紙容器は図２にその展開図を示すブランクを組み立てて形成される。
【００１５】
図２のブランクは、全面に樹脂フィルムを貼り合わせた板紙を原反とし、その原反に多面付け状態で所定の印刷を施したものを打ち抜いて作成されたものであり、図示のように、長方形の底板１における前後左右に折り線ａ〜ｄを介して前側板２、後側板３、左側板４、右側板５がそれぞれ連設されており、それらの各側板２〜５には両側辺に折り線ｅを介して三角形状の折込み片２ａ〜５ａがそれぞれ連設され、隣接する折込み片どうしが底板の隅から外方に向けて延びる放射線の折り線ｆを介して連結されてウェッブコーナー部Ｗを形成している。
【００１６】
そして、前側板２と後側板３にはその上辺に折り線ｇを介してフラップ６，７がそれぞれ連設されており、それらのフラップ６，７には先端中央部に切込み６ａ，７ａが形成されるとともに、左右両端に切欠き６ｂ，７ｂが形成されている。また、左側板４と右側板５にはその上辺に折り線ｈを介して左半蓋板８と右半蓋板９がそれぞれ連設され、それらの左半蓋板８と右半蓋板９には二つ折りするための折り線ｉが形成されており、さらに左半蓋板８と右半蓋板９の先端には折り線ｊを介して係止用の差込み片８ａ，９ａがそれぞれ連設されている。この例ではフラップ６，７の先端中央部に設ける切込み６ａ，７ａの根元を細くし、差込み片８ａ，９ａの根元にＶ字状の切欠きを形成してある。また、左半蓋板８と右半蓋板９の先端コーナーには当該部分を摘みやすくするために斜めの折り線ｋを設けてある。
【００１７】
また、このブランクでは、前側板２と後側板３の中ほどに撓み防止用として縦方向の押し罫を３本形成してある。なお、各折り線ａ〜ｋは、基本的には押し罫で形成すればよいが、フラップ６，７の折り線ｇ、左半蓋板８と右半蓋板９の折り線ｈ、左半蓋板８と右半蓋板９を二つ折りするための折り線ｉ、差込み片８ａ，９ａの折り線ｊについては、設計時に当該折り線部分の折曲げやすさを考慮して、１）押罫の途中に切込みのある所謂リード罫、２）ピッチの大きなミシン目、３）ピッチの小さなミシン目、などを適宜採用してもよい。
【００１８】
図２のブランクを組み立てるには、まず、底板１に対して各側板２〜５を起立させるとともに、それと同時に折込み片２ａ〜５ａを外側に引き出して折り込むことでウェッブコーナー部Ｗを形成し、このウェッブコーナー部Ｗを折り込んだ状態で左側板４と右側板５の外側に貼り合わせることで図３に示すような箱形状とする。このように本体を組み立てた状態では、板紙の曲げに対する反発力により上方開口は外方に少しだけ湾曲して広がった状態になっている。そして、この図３に示す組立状態のものを複数スタックして充填工程に供給する。
【００１９】
充填工程では、図３に示す状態のものに上方から内容物を投入した後、前側板２と後側板３の上辺にあるフラップ６，７を内側に折り曲げてから、左半蓋板８と右半蓋板９をそれらの差込み片８ａ，９ａどうしを対向させるように内側に折り曲げ、対向させた差込み片をフラップ６，７の切込み６ａ，７ａに差し込むことで、フラップ６，７の切込み６ａ，７ａに差込み片８ａ，９ａを係止させ、図１に示す如く左半蓋板８と右半蓋板９により蓋をする。
【００２０】
そして、図１のウェッブコーナー型紙容器は、最終的には必要に応じてシュリンクフィルムが掛けられて商品となる。内容物としては、電子レンジにより加熱調理される食材や調味料などがあり、これらを収納したものが商品として店頭で販売される。
【００２１】
電子レンジで加熱調理するにあたっては、左半分蓋板８と右半分蓋板９を観音開きのようにして開け、内部の調味料や食材を取り出す。このとき、左半分蓋板８と右半分蓋板９には先端コーナーに斜めの折り線ｋが設けてあるので、この三角部分を適宜摘んで持ち上げることにより、左半分蓋板８と右半分蓋板９の先端にある差込み片８ａ，９ａを小フラップ６，７の切込み６ａ，７ａから外して簡単に開けるができる。
【００２２】
取り出した調味料等を食材（調味料のみを収納してある場合は食材は別途用意する）とともに容器に入れた後、フラップ６，７を内側に折り曲げてから、図４に示すように、左半蓋板８と右半蓋板９を折り線ｉのところで内向きに二つ折りし、その先端にある差込み片８ａ，９ａをフラップ６，７の左右両端の切欠き６ｂ，７ｂによる隙間に差し込んでフラップ６，７の側部に係止させる。このように、二つ折りした左半蓋板８と右半蓋板９の先端をフラップ６，７の側部に係止させることにより、フラップ６，７の浮き上がりが止められるとともに、二つ折り状態とした左半蓋板８と右半蓋板９が持ち手の役目を果たすことになる。
【００２３】
図１のウェッブコーナー型紙容器は、図４に示す使用状態としてから、電子レンジに入れて加熱調理する。このとき、容器全体の高さが低くなっているので庫内への出し入れがしやすい。そして、加熱調理して蒸気が発生すると、二つ折り状態の左半蓋板８と右半蓋板９がフラップ６，７の浮き上がりを抑制するため、レンジ容器に求められる蒸らし効果を損なうことがない。さらに、加熱調理後、二つ折り状態とした左半蓋板８と右半蓋板９が持ち手となるため、この熱が直接伝わらない部分を持つことで安心して庫内から取り出すことができる。
【００２４】
図５は本発明に係るウェッブコーナー型紙容器の変形例を示す斜視図であり、このウェッブコーナー型紙容器は図６にその展開図を示すブランクを組み立てて形成される。この図６に示すブランクは、図２のブランクと略同じ形状であるので、構成が同じ部分には同じ符号を付してその説明を省略する。
【００２５】
図５のウェッブコーナー型紙容器は、図１に示したウェッブコーナー型紙容器において左半蓋板８と右半蓋板９の係止手段を替えたものである。すなわち、図６のブランクでは、左半蓋板８と右半蓋板９の先端に、差込み片８ａ，９ａに替えて、相互にかみ合う形状のかみ合い部８ｂ，９ｂを形成している。そして、この左半蓋板８と右半蓋板９の変形に伴い、フラップ６，７の切込み６ａ，７ａを無くしてある。また、左半蓋板８と右半蓋板９の先端コーナーの斜めの折り線ｋも無くしてある。
【００２６】
図５のブランクの組み立て方も図２のブランクの場合と同様であり、同じ手順でウェッブコーナー部Ｗを形成し、このウェッブコーナー部Ｗを折り込んだ状態で左側板４と右側板５の外側に貼り合わせることで図７に示すような箱形状とする。そして、この図７に示す組立状態のものを複数スタックして充填工程に供給する。
【００２７】
充填工程では、図７に示す状態のものに上方から内容物を投入した後、前側板２と後側板３の上辺にあるフラップ６，７を内側に折り曲げてから、左半蓋板８と右半蓋板９を内側に折り曲げ、それらのかみ合い部８ｂ，９ｂどうしを係合させることで、図５に示す如く左半蓋板８と右半蓋板９により蓋をする。
【００２８】
電子レンジで加熱調理するにあたっては、左半分蓋板８と右半分蓋板９を観音開きのようにして開け、内部の調味料や食材を取り出す。このとき、左半分蓋板８と右半分蓋板９を反対方向に引っ張ることにより、それらの先端にあるかみ合い部８ｂ，９ｂの係合を外して簡単に開けることができる。
【００２９】
取り出した調味料等を食材（調味料のみを収納してある場合は食材は別途用意する）とともに容器に入れた後、フラップ６，７を内側に折り曲げてから、図８に示すように、左半蓋板８と右半蓋板９を折り線ｉのところで内向きに二つ折りし、その先端のかみ合い部８ｂ，９ｂをフラップ６，７の左右両端の切欠き６ｂ，７ｂによる隙間に差し込んでフラップ６，７の側部に係止させる。このように、二つ折りした左半蓋板８と右半蓋板９の先端をフラップ６，７の側部に係止させることにより、フラップ６，７の浮き上がりが止められるとともに、二つ折り状態とした左半蓋板８と右半蓋板９が持ち手の役目を果たすことになる。
【００３０】
図５のウェッブコーナー型紙容器は、図８に示す使用状態としてから、電子レンジに入れて加熱調理する。このとき、前記したのと同様に、容器全体の高さが低くなっているので庫内への出し入れがしやすい。そして、加熱調理して蒸気が発生すると、二つ折り状態の左半蓋板８と右半蓋板９がフラップ６，７の浮き上がりを抑制するため、レンジ容器に求められる蒸らし効果を損なうことがない。さらに、加熱調理後、二つ折り状態とした左半蓋板８と右半蓋板９が持ち手となるため、この熱が直接伝わらない部分を持つことで安心して庫内から取り出すことができる。
【００３１】
以上、２つの例を挙げて、本発明の実施の形態を詳細に説明してきたが、本発明によるウェッブコーナー型紙容器は、上記実施の形態に何ら限定されるものではなく、本発明の趣旨を逸脱しない範囲において種々の変更が可能であることは当然のことである。
【００３２】
例えば、上記の例では、容器の素材として、全面に樹脂フィルムを貼り合わせた板紙を使用したが、紙器用の板紙に、必要に応じて、ポリプロピレン、ポリエチレン、ポリエチレンテレフタレート、ポリブチレンテレフタレートなどの樹脂フィルムを適宜積層した板紙を使用すればよい。また、板紙の代わりに、細かい波形（マイクロフルート）の段ボールシートを使用することも可能である。
【００３３】
また、上記の例では、容器の全体形状を長方形とし、ウェッブコーナー部を短辺側に貼り合わせたが、全体形状については、矩形状であれば正方形でも構わないものであるし、ウェッブコーナー部については、容器設計に応じて短辺側と長辺側のいずれに貼り合わせるかを決めればよいことである。
【産業上の利用可能性】
【００３４】
本発明のウェッブコーナー型紙容器は、電子レンジ調理用の食品を入れるのに使用するのが好適である。そして、袋入りの食材をその袋から出して調理するタイプの商品のほか、調味料だけを入れておき、別に用意する卵、豆腐、肉類などの食材と合わせて加熱調理するようなタイプの商品にも好適である。
【符号の説明】
【００３５】
１  底板
２  前側板
２ａ  折込み片
３  後側板
３ａ  折込み片
４  左側板
４ａ  折込み片
５  右側板
５ａ  折込み片
６，７  フラップ
６ａ，７ａ  切込み
８  左半蓋板
８ａ  差込み片
８ｂ  かみ合い部
９  右半蓋板
９ａ  差込み片
９ｂ  かみ合い部
Ｗ  ウェッブコーナー部
ａ〜ｋ  折り線
【図１】
2015016905.tif 000003
【図２】
2015016905.tif 000004
【図３】
2015016905.tif 000005
【図４】
2015016905.tif 000006
【図５】
2015016905.tif 000007
【図６】
2015016905.tif 000008
【図７】
2015016905.tif 000009
【図８】
2015016905.tif 000010